【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】
企業において用いられる資源についての資源情報を含む資源データベースを準備する第１のステップと、
複数の特定の資源それぞれについて、代替の資源との比較における該特定の資源の不備に関する不備情報を含む不備データベースを準備する第２のステップと、
前記不備データベースからの不備情報および前記資源データベースからの資源情報の演算手段を用いて、前記企業における前記特定の資源の利用による、パフォーマンス上の前記不備の影響についての情報を取り出す第３のステップと
を備え、
前記不備は、前記特定の資源のパフォーマンス特性を示す少なくとも一つの属性と前記代替資源における同じ属性との比較による差異を含み、
前記取り出される情報は、資源管理に有用な情報であること
を特徴とする方法。
【請求項２】
前記第２のステップが、
寿命、効率、故障モード、互換性、ライフサイクルコストまたは施工品質に関係する少なくとも一つのパフォーマンス特性についての資源の不備に関する情報を含む不備データベースの準備を含むこと
を特徴とする請求項１記載の方法。
【請求項３】
前記第２のステップが、
操作資源、製造資源および人的資源の少なくとも一つについての不備に関する情報を含む不備データベースの準備を含むこと
を特徴とする請求項１または２記載の方法。
【請求項４】
前記第２のステップが、
前記不備と結びつけられるパフォーマンスコストの影響に関する情報を含む不備データベースの準備を含むこと
を特徴とする請求項１ないし３のいずれか１項記載の方法。
【請求項５】
前記第３のステップが、
前記企業による運営目標に関係する前記特定の資源の利用による影響に関する情報の取り出しを含むこと
を特徴とする請求項１ないし４のいずれか１項に記載の方法。
【請求項６】
企業において用いられる資源についての資源情報を含む資源データベースと、
複数の特定の資源それぞれについて、代替の資源との比較における該特定の資源の不備に関する不備情報を含む不備データベースと、
前記不備データベースおよび前記資源データベースに接続され前記不備データベースからの不備情報および前記資源データベースからの資源情報を用いるように構成され、前記企業における前記特定の資源の利用による、パフォーマンス上の前記不備の影響についての情報を提供する演算手段と
を備え、
前記不備は、前記特定の資源のパフォーマンス特性を示す少なくとも一つの属性と前記代替資源における同じ属性との比較による差異を含み、
前記取り出される情報は、資源管理に有用な情報であること
を特徴とする資源管理システム。
【請求項７】
前記不備データベースが、
寿命、効率、故障モード、互換性、ライフサイクルコストまたは施工品質に関係する少なくとも一つのパフォーマンス特性についての資源の不備に関する情報を含むこと
を特徴とする請求項６記載の資源管理システム。
【請求項８】
前記不備データベースが、資源間相互の影響についての不備に関する情報を含み、
前記演算手段が、前記企業による、運営上の資源間相互の影響についての前記不備による影響に関する情報を提供するように構成されたこと
を特徴とする請求項６または７記載の資源管理システム。.
【請求項９】
前記不備データベースが、
操作資源、製造資源および人的資源の少なくとも一つについての不備に関する情報を含むこと
を特徴とする請求項６ないし８のいずれか１項に記載の資源管理システム。
【請求項１０】
前記演算手段と接続され前記不備データベースおよび前記資源データベースを記憶するように構成された記憶手段をさらに備えたことを特徴とする請求項６ないし９のいずれか１項に記載の資源管理システム。
【請求項１１】
企業において用いられる資源および他の資源のうち少なくとも一つについての資源情報を含む資源データベースを準備する第１のステップと、
代替の資源の組み合わせとの比較における特定の資源の組み合わせの不備に関する不備情報を含む不備データベースを準備する第２のステップと、
前記不備データベースからの不備情報および前記資源データベースからの資源情報の演算手段を用いて、前記企業における前記特定の資源の組み合わせの利用による、パフォーマンス上の前記不備の影響についての情報を取り出す第３のステップと
を備え、
前記不備は、前記特定の資源の組み合わせの資源間相互の影響についての少なくとも一つの属性と前記代替の資源の組み合わせの資源間相互の影響についての属性との比較による差異を含み、
前記取り出される情報は、資源管理に有用な情報であること
を特徴とする方法。
【請求項１２】
前記第２のステップが、
前記不備と結びつけられるパフォーマンスコストの影響に関する情報を含む不備データベースの準備を含むこと
を特徴とする請求項１１記載の方法。
【請求項１３】
前記第２のステップが、
資源相互間の影響についての少なくとも一つの不備と結びつけられる少なくとも一つの故障モードに関する情報を含む不備データベースの準備を含むこと
を特徴とする請求項１１または１２記載の方法。
【請求項１４】
前記第２のステップが、
前記特定の資源の組み合わせと結びつけられる故障モードに関する情報を含む不備データベースの準備を含むこと
を特徴とする請求項１１ないし１３のいずれか１項に記載の方法。
【請求項１５】
前記第２のステップが、
前記特定の資源の組み合わせに関する平均故障間隔の不備についての情報を含む不備データベースの準備を含むこと
を特徴とする請求項１１ないし１５のいずれか１項に記載の方法。
【請求項１６】
企業において用いられる資源および他の資源のうち少なくとも一つについての資源情報を含む資源データベースと、
代替の資源の組み合わせとの比較における特定の資源の組み合わせの不備に関する不備情報を含む不備データベースと、
前記不備データベースおよび前記資源データベースと接続され前記不備データベースからの不備情報および前記資源データベースからの資源情報を利用するように構成され、前記企業における前記特定の資源の組み合わせの利用による、パフォーマンス上の前記不備の影響についての情報を提供する演算手段と
を備え、
前記不備は、前記特定の資源の組み合わせにおける資源相互間の影響についての少なくとも一つの属性と前記代替の資源の組み合わせにおける資源相互間の影響についての属性との比較による差異を含み、
前記取り出される情報は、資源管理に有用な情報であること
を特徴とする資源管理システム。
【請求項１７】
前記不備データベースが、
前記不備のパフォーマンスコストの影響に関する情報を含むこと
を特徴とする請求項１６記載の資源管理システム。
【請求項１８】
前記不備データベースが、
前記特定の資源の組み合わせに関する平均故障間隔の不備についての情報を含むこと
を特徴とする請求項１６または１７記載の資源管理システム。
【請求項１９】
前記不備データベースが、
資源相互間の影響についての少なくとも一つの不備と結びつけられる少なくとも一つの故障モードを含み、
前記不備データベースと接続され前記特定の資源の組み合わせの資源相互間の影響についての不備に応答し、前記相互間の影響と結びつけられる故障モードを識別する故障モード予測手段をさらに備え、
前記故障モード予測手段が適切なプログラムをもつ演算手段を備えること
を特徴とする請求項１６ないし１８のいずれか１項に記載の資源管理システム。
【請求項２０】
前記不備データベースと接続され前記特定の資源の組み合わせの識別に応答し、その資源の組み合わせに関係する不備を識別する不備識別手段をさらに備え、
前記不備識別手段が、適切なプログラムを持つ演算手段を備えること
を特徴とする請求項１６ないし１９のいずれか１項に記載の資源管理システム。